(57)【要約】【課題】記録継続性に優れつつ、良好な画像を記録することができるインクジェット記録装置を提供すること。【解決手段】本発明に係るインクジェット記録装置は、記録媒体を支持する支持ユニットと、同一組成のインクを収容する複数の収容体と、該複数の収容体のいずれか１つから供給された前記インクを吐出するヘッドと、を搭載する移動ユニットと、を有し、前記記録媒体に画像を記録する際において、前記ヘッドは第１方向における位置を変えつつ前記インクを吐出する主走査を行い、前記移動ユニットは前記第１方向と交差する第２方向に移動する副走査を行う。【選択図】図２
2014188787.tif 000002
【特許請求の範囲】
【請求項１】
記録媒体を支持する支持ユニットと、
同一組成のインクを収容する複数の収容体と、該複数の収容体のいずれか１つから供給された前記インクを吐出するヘッドと、を搭載する移動ユニットと、
を有し、
前記記録媒体に画像を記録する際において、前記ヘッドは第１方向における位置を変えつつ前記インクを吐出する主走査を行い、前記移動ユニットは前記第１方向と交差する第２方向に移動する副走査を行う、インクジェット記録装置。
【請求項２】
請求項１において、
前記複数の収容体のうち、一の収容体に収容されるインクの量が所定量以下となった場合に、他の収容体に収容されるインクが前記ヘッドに供給される、インクジェット記録装置。
【請求項３】
請求項１または請求項２において、
前記複数の収容体に収容される前記インクの初期容量の合計が３５００ｍｌ以下であって、かつ前記複数の収容体のそれぞれに収容される前記インクの初期容量が５００ｍｌ以上であり、
記録面として０．１ｍ2以上７ｍ2以下の面積を有する記録媒体に対する画像の記録に用いられる、インクジェット記録装置。
【請求項４】
請求項１ないし請求項３のいずれか１項において、
前記移動ユニットは、前記ヘッドを保守するための１つ以上のメンテナンス手段を搭載する、インクジェット記録装置。
【請求項５】
請求項１ないし請求項４のいずれか１項において、
吐出に適した粘度にするために前記インクを加熱する加温手段を有さない、インクジェット記録装置。
【請求項６】
請求項１ないし請求項５のいずれか１項において、
前記インクは、紫外線の照射によって硬化する紫外線硬化型インクであり、
前記移動ユニットは、前記紫外線硬化型インクを硬化するための紫外線発光ダイオードを備えた照射手段を搭載する、インクジェット記録装置。
【請求項７】
請求項１ないし請求項６のいずれか１項において
前記インクは、紫外線の照射によって硬化する紫外線硬化型インクであり、光重合開始剤としてアシルホスフィンオキサイド化合物を含有する、インクジェット記録装置。
【請求項８】
請求項１ないし請求項７のいずれか１項において、
前記移動ユニットは、前記記録媒体に記録すべき画像データを入力するための入力手段を搭載可能である、インクジェット記録装置。
【請求項９】
請求項４において、
前記移動ユニットに搭載されているメンテナンス手段の合計の質量が５ｋｇ以下である、インクジェット記録装置。
【請求項１０】
請求項４または請求項９において、
前記複数の収容体の１つあたりに収容されるインクの初期質量が、前記移動ユニットに搭載されているメンテナンス手段の合計の質量よりも小さい、インクジェット記録装置。
【請求項１１】
請求項１ないし請求項１０のいずれか１項において、
前記複数の収容体と前記ヘッドはそれぞれ、供給管を介して接続されており、
前記供給管の長さは、３．５ｍ以下である、インクジェット記録装置。
【発明の詳細な説明】
【技術分野】
【０００１】
本発明は、インクジェット記録装置に関する。
【背景技術】
【０００２】
従来から、インクジェット記録用のヘッドのノズルから吐出させた微小なインク滴によって、記録媒体に画像等を記録するインクジェット記録装置が知られている。このようなインクジェット記録装置は、使用する記録媒体の種類や大きさによって、多様な構造を有するものである。
【０００３】
例えば、特許文献１には、いわゆるシリアル型のインクジェット記録装置が開示されている。このようなシリアル型のインクジェット記録装置は、第１方向（記録媒体の記録面の幅方向）に移動可能なヘッドを有しており、ヘッドを第１方向に往復動させながら記録媒体を第１方向に交差する第２方向に移動させることで画像を記録するものである。
【０００４】
一方、特許文献２には、フラットベッド型のインクジェット記録装置が開示されている。このようなフラットベッド型のインクジェット記録装置は、例えば、記録媒体を固定するパネルと、記録媒体の記録面の第１方向（記録媒体の幅方向）およびこれに交差する第２方向に移動可能なヘッドと、を有しており、固定された記録媒体に対してヘッドが第１方向および第２方向に移動することで画像を記録するものである。このようなフラットベッド型のインクジェット記録装置は、ガラス板、アクリル板、金属板等の硬質かつ重い記録媒体に対する記録に用いられることが多く、記録媒体のサイズも大型である場合が多い。
【先行技術文献】
【特許文献】
【０００５】
【特許文献１】特開２０１２−４５９０９号公報
【特許文献２】特開２０１０−２６４６２４号公報
【発明の概要】
【発明が解決しようとする課題】
【０００６】
上記のようなフラットベッド型のインクジェット記録装置は、少なくとも第２方向に移動可能な移動ユニットを有する場合があり、移動ユニットにヘッドを搭載することでヘッドの第２方向への移動を可能とする。
【０００７】
一方で、ヘッドにインクを供給するためのインクカートリッジ（収容体）は、供給管を介してヘッドと接続される場合がある。このような場合に供給管の長さが長くなるにつれて、空気の混入やインクに起因する沈降物が増加する等の不具合が生じる傾向にあるので、供給管の長さをできるだけ短くすることが好ましい。そのため、供給管の長さを短くするために、ヘッドと同様にインクカートリッジを移動ユニットに搭載することがある。
【０００８】
移動ユニットにインクカートリッジを搭載する場合において、画像の記録中にインクカートリッジに収容されたインクを使い切ると、画像の記録を中断してインクカートリッジを交換する必要がある。しかしながら、記録を再開した場合、再開前後で画像の色が変化したり、インクカートリッジの交換時に移動ユニットの位置がずれてしまったりして、良好な画像が得られない場合があった。特に、フラットベッド型のインクジェット記録装置では、高価な材料（アクリル板等の記録媒体や、紫外線硬化型インク等）を用いて記録を行うことが多いため、画像の記録に失敗した場合の損害が大きい。
【０００９】
本発明に係る幾つかの態様は、上述の課題の少なくとも一部を解決することで、記録継続性に優れつつ、良好な画像を記録することができるインクジェット記録装置を提供することにある。
【課題を解決するための手段】
【００１０】
本発明は前述の課題の少なくとも一部を解決するためになされたものであり、以下の態様または適用例として実現することができる。
【００１１】
［適用例１］
本発明に係るインクジェット記録装置の一態様は、
記録媒体を支持する支持ユニットと、
同一組成のインクを収容する複数の収容体と、該複数の収容体のいずれか１つから供給された前記インクを吐出するヘッドと、を搭載する移動ユニットと、
を有し、
前記記録媒体に画像を記録する際において、前記ヘッドは第１方向における位置を変えつつ前記インクを吐出する主走査を行い、前記移動ユニットは前記第１方向と交差する第２方向に移動する副走査を行う。
【００１２】
［適用例２］
適用例１において、
前記複数の収容体のうち、一の収容体に収容されるインクの量が所定量以下となった場合に、他の収容体に収容されるインクが前記ヘッドに供給されてもよい。
【００１３】
［適用例３］
適用例１または適用例２において、
前記複数の収容体に収容される前記インクの初期容量の合計が３５００ｍｌ以下であって、かつ前記複数の収容体のそれぞれに収容される前記インクの初期容量が５００ｍｌ以上であることができ、
記録面として０．１ｍ2以上７ｍ2以下の面積を有する記録媒体に対する画像の記録に用いられてもよい。
【００１４】
［適用例４］
適用例１ないし適用例３のいずれか１例において、
前記移動ユニットは、前記ヘッドを保守するための１つ以上のメンテナンス手段を搭載することができる。
【００１５】
［適用例５］
適用例１ないし適用例４のいずれか１例において、
吐出に適した粘度にするために前記インクを加熱する加温手段を有さないことができる。
【００１６】
［適用例６］
適用例１ないし適用例５のいずれか１例において、
前記インクは、紫外線の照射によって硬化する紫外線硬化型インクであってもよく、
前記移動ユニットは、前記紫外線硬化型インクを硬化するための紫外線発光ダイオードを備えた照射手段を搭載することができる。
【００１７】
［適用例７］
適用例１ないし適用例６のいずれか１例において
前記インクは、紫外線の照射によって硬化する紫外線硬化型インクであってもよく、光重合開始剤としてアシルホスフィンオキサイド化合物を含有してもよい。
【００１８】
［適用例８］
適用例１ないし適用例７のいずれか１例において、
前記移動ユニットは、前記記録媒体に記録すべき画像データを入力するための入力手段を搭載可能である。
【００１９】
［適用例９］
適用例４において、
前記移動ユニットに搭載されているメンテナンス手段の合計の質量が５ｋｇ以下であることができる。
【００２０】
［適用例１０］
適用例４または適用例９において、
前記複数の収容体の１つあたりに収容されるインクの初期質量が、前記移動ユニットに搭載されているメンテナンス手段の合計の質量よりも小さくてもよい。
【００２１】
［適用例１１］
適用例１ないし適用例１０のいずれか１例において、
前記複数の収容体と前記ヘッドはそれぞれ、供給管を介して接続されていてもよく、
前記供給管の長さは、３．５ｍ以下であることができる。
【図面の簡単な説明】
【００２２】
【図１】本発明の一実施形態に係るインクジェット記録装置の構成を示すブロック図。
【図２】本発明の一実施形態に係るインクジェット記録装置を模式的に示す斜視図。
【図３】本発明の一実施形態に係るインクジェット記録装置において収容体からヘッドにインクを供給するための構成を説明する概略図。
【発明を実施するための形態】
【００２３】
以下に本発明の好適な実施形態について説明する。以下に説明する実施形態は、本発明の一例を説明するものである。また、本発明は、以下の実施形態に限定されるものではなく、本発明の要旨を変更しない範囲において実施される各種の変形例も含む。
【００２４】
１．インクジェット記録装置
本発明の一実施形態に係るインクジェット記録装置は、記録媒体を支持するパネルを備える支持ユニットと、同一組成のインクを収容する複数の収容体および該複数の収容体のいずれか１つから供給された前記インクを吐出するヘッドと、を搭載する移動ユニットと、を有し、前記記録媒体に画像を記録する際において、前記ヘッドは第１方向における位置を変えつつ前記インクを吐出する主走査を行い、前記移動ユニットは前記第１方向と交差する第２方向に移動する副走査を行うことを特徴とする。
【００２５】
以下、インクジェット記録装置の構成およびこれに用いるインクの順に詳細に説明する。
【００２６】
１．１．装置構成
本実施形態に係るインクジェット記録装置は、いわゆるフラットベッド型のインクジェット記録装置であり、ヘッドが第１方向（具体的には、記録媒体の記録面における幅方向）およびこれに交差する第２方向（具体的には、記録媒体の記録面において第１方向と直
交する方向）に移動して、支持された記録媒体に画像を記録するものをいう。
【００２７】
本実施形態に係るインクジェット記録装置の構造について、図面を参照しながら詳細に説明する。なお、本実施形態に係るインクジェット記録装置の構造の理解を容易にするために、尺度を適宜変更している場合がある。
【００２８】
図１は、本実施形態に係るインクジェット記録装置１（以下「プリンター１」ともいう。）の構成を示すブロック図である。
【００２９】
図２は、本実施形態に係るインクジェット記録装置１を模式的に示す斜視図である。図２における第１方向（主走査方向）は、パネル１１に載置される記録媒体Ｐの記録面の幅方向であり、移動ユニット２０が延びる方向に一致している。また、図２における第２方向（副走査方向）は、記録媒体Ｐの記録面において第１方向と交差する方向であり、記録時に移動ユニット２０が移動する方向と一致している。
【００３０】
図１に示すように、プリンター１は、支持ユニット１０、移動ユニット２０、検出器群１００、コントローラー１１０を有する。画像データを入力する入力手段１２０から画像データを受信したプリンター１は、コントローラー１１０によって各ユニットを制御する。コントローラー１１０は、入力手段１２０から受信した画像データに基づいて各ユニットを制御して、記録媒体Ｐに画像を記録する。プリンター１内の状況は検出器群１００によって監視されており、検出器群１００は検出結果をコントローラー１１０に出力する。コントローラー１１０は、検出器群１００から出力された検出結果に基づき各ユニットを制御する。プリンター１が入力手段１２０から受信した画像データは、入力手段１２０に図示しない他の装置から入力された画像データに対して入力手段１２０がデータの変換などの加工を施した画像データであってもよい。
【００３１】
より詳しくは、コントローラー１１０は、プリンター１の制御を行うための制御ユニット（制御部）であり、インターフェイス部１１２、ＣＰＵ１１４、メモリー１１６およびユニット制御回路１１８を有する。インターフェイス部１１２は、入力手段１２０とプリンター１との間でデータの送受信を行う。ＣＰＵ１１４は、プリンター１全体の制御を行うための演算処理装置である。メモリー１１６は、ＣＰＵ１１４のプログラムを格納する領域や作業領域を確保するためのものであり、ＲＡＭ、ＥＥＰＲＯＭ等の記憶素子を備える。ＣＰＵ１１４は、メモリー１１６に格納されているプログラムにしたがってユニット制御回路１１８を介して各ユニットを制御する。
【００３２】
入力手段１２０は、記録媒体Ｐに記録すべき画像データを入力するための手段であり、例えばＰＣやタッチパネル式入力装置等があげられる。他の装置から入力された画像データにデータの変換を施す機能を備えていてもよい。
【００３３】
図２に示すように、入力手段１２０は、移動ユニット２０に搭載されていてもよい。これにより、入力手段１２０と移動ユニット２０を接続する配線コード類を短くできるという利点がある。このように移動ユニット２０は、入力手段１２０を搭載可能とすることが好ましい。具体的には、入力手段１２０を固定する固定部と入力手段１２０から出力する画像データを入力する端子を備えることが好ましい。また、入力手段１２０が移動ユニット２０に予め搭載されていてもよく、予め搭載している形態も、入力手段１２０を搭載可能な形態である。
【００３４】
＜支持ユニット＞
図２の例では、支持ユニット１０は、記録媒体Ｐを支持するパネル１２を備え、記録媒体Ｐを支持している。記録中、支持ユニット１０のパネル１２は、記録媒体Ｐのヘッド４
０に対向する方向の意図しない位置の変化が発生しないように記録媒体Ｐのヘッド４０に対する反対側から支持している。図２の例ではさらに、パネル１２を支持する支持台１４と、パネル１２の下部に設置された吸引手段１６（例えば真空ポンプ等）と、を有する。また、パネル１２には吸引手段１６と接続された吸引孔１３が複数設けられている。吸引手段１６を作動させることにより、パネル１２に設置された記録媒体Ｐはパネル１２上で、記録中、意図しない面方向の位置ずれが発生したりしない。図２の例では記録媒体Ｐはパネル１２が有する複数の吸引孔１３の全てを含む領域にまたがる大きさを有する透明な板状の媒体である。パネル１２の記録媒体Ｐの意図しない面方向の位置ずれが発生しないようにする手段として、吸引手段１６を用いる場合を示したがこれに限定されず、例えば粘着テープ等によって記録媒体Ｐをパネル１２に貼り付けてもよいし、記録媒体Ｐの上方あるいは側方から記録媒体Ｐを押圧部材により押圧してもよいし、記録媒体Ｐの自重でパネル１２上における意図しない面方向の位置ずれが発生しないものでもよく、記録媒体Ｐが記録中にパネル１２上で意図しない面方向の位置ずれが発生しないものであればよい。支持ユニット１０は、インクジェット記録装置が設置された場所に対して位置が移動しないことが好ましい。記録媒体Ｐがパネル１２上を搬送されるようにしてもよい。
【００３５】
＜移動ユニット＞
図２の例では、移動ユニット２０は、インクを収容する収容体３０（インクカートリッジ）と、収容体３０から供給されるインクを吐出するヘッド４０と、ヘッド４０の主走査方向の両側に設置された照射手段５０と、ヘッド４０の吐出面を覆うキャップ部材６０と、ヘッド５０のフラッシング動作時に排出されるインクを受けとめるインク受け部材６５と、画像データを入力する入力手段１２０と、を搭載している。キャップ部材６０およびインク受け部材６５は、後述するようにヘッドを保守するために使用されるメンテナンス手段の一態様である。
【００３６】
移動ユニット２０は、記録媒体Ｐに画像を記録する際において、第２方向に移動する副走査を行う。移動ユニット２０の第２方向への移動は、例えばパネル１２の端部に沿って設けられた駆動ベルト等の駆動手段（図示せず）によって行うことができるが、これに限定されず公知の駆動手段を用いて行うことができる。
【００３７】
図２の例では、移動ユニット２０は筐体２２を備えており、ヘッド４０、照射手段５０、キャップ部材６０、インク受け部材６５は筐体２２内に収容されている。インクとして後述する紫外線硬化型インクを用いた場合、筐体２２にヘッド４０が収容されていると、ヘッド４０のノズル面に付着したインクが外部の光により硬化することを抑制できるので、吐出不良等を低減できる点で好ましい。
【００３８】
＜収容体＞
収容体３０は、その内部にインクを収容するいわゆるインクカートリッジであって、着脱可能な状態で移動ユニット２０に搭載されている。
【００３９】
収容体３０とヘッド４０は供給管（図示せず）を介して接続することができ、この場合には収容体３０内のインクが供給管を介してヘッド４０に供給される。供給管は、収容体３０毎に設けられており、例えばチューブ状の可撓性の部材（例えばゴム、エラストマー等）を用いることができる。
【００４０】
供給管の長さが長くなるにつれて、供給管内に空気が混入したり、インクに起因する沈降物が増加したり、洗浄に要する洗浄液量が増加するなどの傾向があるので、供給管の長さを短くすることが好ましく、４ｍ以下が好ましく、３．５ｍ以下がより好ましく、３．０ｍ以下がさらに好ましい。また、ヘッド４０の移動距離を長くして記録可能な記録媒体の面積を大きくするために、１．０ｍ以上が好ましく、１．５ｍ以上がより好ましく、２
ｍ以上がさらに好ましい。
【００４１】
収容体３０は、移動ユニット２０に設けられたカートリッジホルダー３２に挿入することによって、移動ユニット２０に搭載することができる。図２の例では、収容体３０が移動ユニット２０の第１方向における端側に設けられた場合を示したがこれに限定されず、移動ユニット２０のいずれの位置に設けてもよい。また、図２の例では、収容体３０が第２方向に向けて挿入されているが、収容体３０が第１方向に向けて挿入される位置にカートリッジホルダー３２を設けてもよい。
【００４２】
収容体３０は、キャリッジ７０（後述）に搭載されていてもよい。ただし、図２の例では、収容体３０は、キャリッジ７０（後述）に搭載されておらず、移動ユニット２０に固定された状態で搭載されている。キャリッジ７０（後述）以外の場所に搭載されている場合、収容体３０の重量によりキャリッジ７０の移動にかかる負荷を低減できるため、収容体３０は、移動ユニットにおいて、ヘッド４０を搭載し第１方向に往復動するキャリッジ７０（後述）以外の場所に搭載されていることが好ましい。
【００４３】
図２の例では、１０個の収容体３０が主走査方向に沿って一列に配置されている場合を示したが、各収容体３０の配置は特に限定されるものではない。
【００４４】
ここで、本発明に係るインクジェット記録装置は、同一組成のインクを収容する収容体を複数備えている必要があり、記録時において、同一組成のインクを収容する複数の収容体のいずれか１つからヘッドに供給される。こうすることで、同一組成のインクを収容する複数の収容体のうち、一の収容体に収容されるインクを使い切ったとしても、他の収容体に収容されているインクをヘッドに供給できるので、記録を中断して収容体の交換をすることなく記録を継続することができる。これにより、画像の記録を長時間、具体的には一の記録媒体への画像の記録が終了するまで継続して行うことができる。また、記録の再開前後で画像の色味が異なったり、インクカートリッジの交換時に移動ユニットの位置がずれてしまうことで生じる画像の位置ずれ等の不具合の発生を抑制できるので、良好な画像が得られる。
【００４５】
本発明において、同一組成のインクとは、含まれる成分およびその含有量が同じインクのことをいう。なお、インク名が同じ場合も同一組成のインクとしてもよい。
【００４６】
図３は、同一組成のインクを収容する複数の収容体（収容体３０Ａ，３０Ｂ）を用いてヘッド４０Ａにインクを供給するための構成を説明する概略図である。図３に示すように、収容体３０Ａおよび３０Ｂは、供給管３４Ａおよび供給管３４Ｂを介してヘッド４０Ａと接続されている。供給管３４Ａ，３４Ｂにはインクの流通を制限する連通弁３５Ａ，３５Ｂが設けられている。供給管３４Ａおよび供給管３５Ｂは、連通弁３５Ａ，３５Ｂの設けられた地点の下流側（ヘッド４０Ａ側）で接続されており、これにより供給管３４Ａ，３５Ｂの流路が合流する。また、各供給管の合流地点の下流側（ヘッド４０Ａ側）には、送液ポンプ３６が設けられている。
【００４７】
画像の記録を実行する際には、まず、連通弁３５Ａを開放した後、送液ポンプ３６を作動させて収容体３０Ａ内のインクをヘッド４０Ａに供給する。このとき、連通弁３５Ｂを閉じて、収容体３０Ｂからインクが供給されないようにする。その後、画像の記録中に収容体３０Ａ内のインクの量が所定量以下（例えば、残量が２％以下）になったら、連通弁３５Ａを閉じつつ連通弁３５Ｂを開放して、収容体３０Ｂ内のインクをヘッド４０Ａに供給する。こうすることで、画像の記録中に一方の収容体のインク残量が少なくなっても、記録を中断することなく他方の収容体からインクを供給できる。
【００４８】
なお、本明細書において、画像の記録中に一方の収容体のインク残量が少なくなった際に、記録を中断することなく他方の収容体からインクを供給できることを、ホットスワップ機能という場合がある。
【００４９】
図３の例では、同一組成のインクを収容する収容体が２つの場合を示したが、これに限定されず、同一組成のインクを収容する収容体が３つ以上あっても同様に行うことができる。
【００５０】
本発明に係るインクジェット記録装置は、記録面として０．１ｍ2以上７ｍ2以下の面積を有する記録媒体に対する画像の記録に用いられることが好ましく、面積は１ｍ2以上７ｍ2以下がより好ましく、２ｍ2以上６ｍ2以下がさらに好ましい。面積が上記範囲内であると、記録物を表示などの用途に用いる場合に視認性に優れ、１枚の記録媒体の記録に必要なインク量が多くなり本発明が特に有用である。面積が上記範囲の場合に、同一組成のインクを収容する複数の収容体は、各収容体のそれぞれひとつに収容されるインクの初期容量は５００ｍｌ以上が好ましく、６００ｍｌ以上がより好ましく、７００ｍｌ以上がさらに好ましい。また、各収容体に収容されるインクの初期容量の合計を３５００ｍｌ以下とすることが好ましく、３０００ｍｌ以下とすることがより好ましく、２０００ｍｌ以下とすることがさらに好ましい。各収容体に収容されるインクの初期容量を５００ｍｌ以上とすることで、上記の面積の記録面を有する記録媒体を用いた場合であっても、記録を中断することなく一の記録媒体に対する画像の記録を終えることできる。また、各収容体に収容されるインクの合計量を３５００ｍｌ以下とすることで、移動ユニットの重量を低減できるので、移動ユニットの移動時の負荷を低減できる。
【００５１】
なお、各収容体の初期容量の上限は限られるものではないが、１７５０ｍｌ以下が好ましく、１５００ｍｌ以下が好ましく、１０００ｍｌ以下がさらに好ましい。また、各収容体の初期容量の合計の下限は、限られるものではないが１０００ｍｌ以上が好ましく、１２００ｍｌ以上がより好ましく、１４００ｍｌ以上がさらに好ましい。本発明において初期容量とは、収容体を使用開始する前に、当該収容体に収容されているインクの容量のことをいう。
【００５２】
＜ヘッド＞
ヘッド４０は、記録媒体Ｐの記録面と対向する位置に設けられたノズル面（図示せず）を有し、当該ノズル面に設けられた複数のノズル（図示せず）から液滴状にしたインクを吐出して、記録媒体Ｐの記録面に付着させる。
【００５３】
図２の例では、ヘッド４０はキャリッジ７０に搭載されている。キャリッジ７０は、第１方向に架設された支持部材であるガイドロッド７２に支持された状態で取り付けられたものであり、キャリッジ移動機構（図示せず）によりガイドロッド７２に沿って第１方向に往復動するものである。このようなキャリッジ７０の移動に伴い、キャリッジ７０に搭載されたヘッド４０も第１方向に往復動する。すなわち、記録媒体Ｐの第１方向における記録は、キャリッジ７０の移動に伴うヘッド４０のインクの吐出により行われる。
【００５４】
図２の例では、ヘッド４０を第１方向に移動させる方法として、キャリッジ７０を利用する態様（すなわち、ヘッド４０が移動ユニット２０に対して相対的に移動する態様）を示したが、例えば、移動ユニット２０自体が第２方向に加えて第１方向に移動するもの（すなわち、ヘッド４０が移動ユニット２０に対して相対的に移動しないもの）を用いてもよい。
【００５５】
図３の例では、同一組成のインクを収容する複数の収容体（収容体３０Ａ，３０Ｂ）を用いて一のヘッド４０Ａにインクを供給する態様を示したが、これに限定されず、同一組
成のインクを収容する複数の収容体毎にヘッドを設ける態様としてもよい。この場合には、収容体３０Ａに対応する第１のヘッドに対するインクの供給が終了した後に、収容体３０Ｂに対応する第２のヘッドを使用して記録を継続することができる。
【００５６】
ヘッド４０のインクジェット記録方式としては、いずれの方式を用いてもよく、例えば、ノズルとノズルの前方に置いた加速電極の間に強電界を印加し、ノズルから液滴状のインクを連続的に吐出させ、インクの液滴が偏向電極間を飛翔する間に印刷情報信号を偏光電極に与えて記録する方式またはインクの液滴を偏向することなく印刷情報信号に対応して吐出させる方式（静電吸引方式）、小型ポンプでインク液に圧力を加え、ノズルを水晶振動子等で機械的に振動させることにより、強制的にインクの液滴を吐出させる方式、インクに圧電素子で圧力と印刷情報信号を同時に加え、インクの液滴を吐出・記録させる方式（ピエゾ方式）、インクを印刷情報信号にしたがって微小電極で加熱発泡させ、インク滴を吐出・記録させる方式（サーマルジェット方式）等を用いることができる。
【００５７】
＜照射手段＞
本実施形態に係るインクジェット記録装置は、紫外線の照射によって硬化する紫外線硬化型インクを用いる場合において、照射手段を有することが好ましい。
【００５８】
照射手段５０は、図２の例では、移動ユニット２０に搭載されたキャリッジ７０に設けられ、ヘッド４０の第１方向の両端に設置されているが、これに限定されず、記録媒体Ｐの記録面に付着したインクに紫外線を照射できるのであればいずれの位置に設けてもよい。例えば、ヘッド４０の第２方向側に記録媒体の幅方向（第１方向）に渡って照射可能に設けられてもよく、これを図２に示す位置に設けられた照射手段５０と組み合わせて使用してもよい。
【００５９】
照射手段５０は、光源（図示せず）と、光源の発光および消灯を制御する光源制御回路（図示せず）とを備えている。光源としては、紫外線発光ダイオードを使用することが好ましい。これにより、光源として水銀灯ランプ、メタルハライドランプ、その他のランプ類を使用した場合と比較して、光源の大型化や重量増を回避できる。
【００６０】
また、光源として紫外線発光ダイオードを使用する場合、出射される紫外線の波長を３６０〜４２０ｎｍ程度の範囲のいずれかとすればよい。
【００６１】
照射手段の照射強度は、硬化速度を向上させるという観点や、硬化シワ抑制の観点や、消費電力を低減させるという観点から、５００ｍＷ／ｃｍ2以上２０００ｍＷ／ｃｍ2以下であることが好ましく、７００ｍＷ／ｃｍ2以上２０００ｍＷ／ｃｍ2以下であることがより好ましい。
【００６２】
また、照射手段により照射を行いインクを硬化させる硬化工程の照射エネルギーは、硬化を充分なものとし消費電力を低減させるという観点から、１００ｍＪ／ｃｍ2以上２０００ｍＪ／ｃｍ2以下が好ましく、２００ｍＪ／ｃｍ2以上１５００ｍＪ／ｃｍ2以下がより好ましく、２００ｍＪ／ｃｍ2以上１０００ｍＪ／ｃｍ2以下がさらに好ましく、２００ｍＪ／ｃｍ2以上８００ｍＪ／ｃｍ2以下が特に好ましい。
【００６３】
＜メンテナンス手段＞
本実施形態に係るインクジェット記録装置は、メンテナンス手段を有することが好ましい。メンテナンス手段は、ヘッドの保守のために用いられる機構であって、ノズル詰まり等の不具合を防止することができる。メンテナンス手段は、移動ユニットに搭載されていることが好ましく、これにより移動ユニットの駆動時においてヘッドのメンテナンスを行うことができる。
【００６４】
ヘッド４０のメンテナンスとしては、記録動作以外でヘッド４０をキャップ部材６０でキャッピングしてインクの蒸発を抑制する保湿動作、ヘッド４０のノズルからインクをインク受け部材６５に排出させることで増粘インクによるノズルの目詰まり防止やノズルのメニスカスを調整してヘッド４０から正常にインクを吐出させるフラッシング動作、キャップ部材６０でヘッド４０をキャッピングした後に吸引ポンプ（図示せず）を駆動させてノズルから粘性が高くなったインクや付着したゴミ等を強制吸引してメニスカスを調整し、ヘッド４０から正常にインクを吐出させる吸引動作（ヘッドクリーニング）、ヘッド４０のノズル面をワイプ部材（図示せず）で払拭（ワイピング）することでノズル近傍に付着したインクや増粘したインク等を除去したり、ノズルのメニスカスを破壊してメニスカスを再調整させるパージ処理を行うワイピング動作などが挙げられる。
【００６５】
図２に示すように、キャップ部材６０は移動ユニット２０の第１方向の一端に設けられており、インク受け部材６５は第１方向の他端に設けられているが、これに限定されず、移動ユニット２０に搭載されヘッド４０の記録動作を妨げないのであれば、いずれの位置に設けられてもよい。
【００６６】
移動ユニット２０の移動における負担を低減するために、移動ユニット２０に搭載されているメンテナンス手段の質量を低減することが好ましく、例えばメンテナンス手段の質量を５ｋｇ以下とすることが好ましく、３ｋｇ以下とすることがより好ましい。下限は限られるものではないが０．５ｋｇ以上が好ましく、１ｋｇ以上がより好ましい。
【００６７】
また、移動ユニット２０に搭載されるメンテナンス手段の質量よりも、各収容体の１つ当たりに収容されるインクの初期質量が小さいことが好ましい。こうすることで、メンテナンス手段の質量と比べて、収容体の数が増えることによる移動ユニット２０の質量の増大の影響が少なくなる。そのため、移動ユニット２０に搭載する収容体の数を増やすことが可能となる。なお、本実施形態においては、インクの比重を約１とし、例えば収容体のインクの初期容量が７００ｍｌの場合、初期質量を７００ｇとするが、インクの比重が１以外の場合は、収容体のインクの初期容量にインクの比重を掛けたものをインクの初期質量とする。
【００６８】
メンテナンス手段は、キャップ部材６０、吸引ポンプ（図示せず）、インク受け部材６５、ワイプ部材（図示せず）の何れか１つ以上とし、２つ以上有する場合は、メンテナンス手段の質量はそれらの合計の質量に相当する。
【００６９】
＜その他＞
本実施形態に係るインクジェット記録装置は、インクを加温してインクの粘度を低下させて吐出に適した粘度にするための加温手段（いわゆる電熱ヒーター等）を有していてもよいが、移動ユニット２０の軽量化の観点から、加温手段を有さないことが好ましい。
【００７０】
吐出の際のインクの粘度は１３ｍＰａ・ｓ以下が好ましい。インクジェット記録装置が加温手段を有さない場合、インクジェット記録装置を設置する環境によって吐出時におけるインクの温度は変わるが、通常インクジェット記録装置が設置される温度域を２０℃〜３０℃程度とし、この温度域におけるインクの粘度がこのままで吐出可能なものであることが好ましく、具体的には２０℃で１３ｍＰａ・ｓ以下が好ましく、より好ましくは４ｍＰａ・ｓ以上１３ｍＰａ・ｓ以下、さらに好ましくは７ｍＰａ・ｓ以上１３ｍＰａ・ｓ以下であることが、良好に吐出できることや、硬化シワ抑制の点で好ましい。当該インクの粘度は、Ｅ型粘度計を用いて測定できる。
【００７１】
また、インクの粘度を上記値にするためには、インクに含まれる成分の配合割合を適宜
調整して行うことができ、例えば後述する紫外線硬化型インクを用いる場合には、各重合性化合物の配合割合によって調整できる。
【００７２】
１．２．インク
本実施形態に係るインクジェット記録装置に用いられるインクとしては、通常のインクジェット用インクであればいずれも使用できるが、ガラス、アクリル、金属等の記録媒体に良好に記録できるという点から、紫外線硬化型インクを用いることが好ましい。また、紫外線硬化型インクは通常のインクジェット用インクに比べて高価であることが多いが、本実施形態に係るインクジェット記録装置を用いることで、記録の失敗を低減できるので、インクの無駄な消費を抑えることができる。
【００７３】
以下、本実施形態に係るインクジェット記録装置に用いられるインクとして、紫外線硬化型インクを用いた場合を例に挙げて、その組成を詳細に説明する。
【００７４】
１．２．１．重合性化合物
本実施形態に係るインクは、重合性化合物を含有することができる。重合性化合物は、単独で、又は後述する光重合開始剤の作用により、光照射時に重合されて、記録されたインクを硬化させることができる。当該重合性化合物としては、一般式（Ｉ）で表されるビニルエーテル基含有（メタ）アクリル酸エステル、および／あるいはその他の単官能（メタ）アクリレートを少なくとも含有することが好ましい。なお、本発明において、（メタ）アクリル酸というときは、アクリル酸およびメタクリル酸の両方を意味し、（メタ）アクリレートというときは、アクリレートおよびメタクリレートの両方を意味する。
【００７５】
以下、これらの（メタ）アクリレートを中心として、重合性化合物を詳細に説明する。
【００７６】
＜ビニルエーテル基含有（メタ）アクリル酸エステル類＞
本実施形態に係るインクは、下記一般式（Ｉ）で表されるビニルエーテル基含有（メタ）アクリル酸エステル類を含むことが好ましい。
【００７７】
ＣＨ2＝ＣＲ1−ＣＯＯＲ2−Ｏ−ＣＨ＝ＣＨ−Ｒ3      ・・・（Ｉ）
上記式（Ｉ）中、Ｒ1は水素原子又はメチル基であり、Ｒ2は炭素数２以上２０以下の２価の有機残基であり、Ｒ3は水素原子又は炭素数１以上１１以下の１価の有機残基である。
【００７８】
当該ビニルエーテル基含有（メタ）アクリル酸エステルを含有することにより、インクの硬化性を優れたものとすることができ、さらにインクを低粘度化することもできる。さらに言えば、ビニルエーテル基を有する化合物及び（メタ）アクリル基を有する化合物を別々に使用するよりも、ビニルエーテル基及び（メタ）アクリル基を一分子中に共に有する化合物を使用する方が、インクの硬化性を良好にする上で好ましい。
【００７９】
上記の一般式（Ｉ）において、Ｒ2で表される炭素数２以上２０以下の２価の有機残基としては、炭素数２以上２０以下の直鎖状、分枝状又は環状の置換されていてもよいアルキレン基、構造中にエーテル結合及び／又はエステル結合による酸素原子を有する置換されていてもよい炭素数２以上２０以下のアルキレン基、炭素数６以上１１以下の置換されていてもよい２価の芳香族基が好適である。これらの中でも、エチレン基、ｎ−プロピレン基、イソプロピレン基、及びブチレン基などの炭素数２以上６以下のアルキレン基、オキシエチレン基、オキシｎ−プロピレン基、オキシイソプロピレン基、及びオキシブチレン基などの構造中にエーテル結合による酸素原子を有する炭素数２以上９以下のアルキレン基が好適に用いられる。
【００８０】
上記の一般式（Ｉ）において、Ｒ3で表される炭素数１以上１１以下の１価の有機残基としては、炭素数１以上１０以下の直鎖状、分枝状又は環状の置換されていてもよいアルキル基、炭素数６以上１１以下の置換されていてもよい芳香族基が好適である。これらの中でも、メチル基又はエチル基である炭素数１以上２以下のアルキル基、フェニル基及びベンジル基などの炭素数６以上８以下の芳香族基が好適に用いられる。
【００８１】
上記の各有機残基が置換されていてもよい基である場合、その置換基は、炭素原子を含む基及び炭素原子を含まない基に分けられる。まず、上記置換基が炭素原子を含む基である場合、当該炭素原子は有機残基の炭素数にカウントされる。炭素原子を含む基として、以下に限定されないが、例えばカルボキシル基、アルコキシ基が挙げられる。次に、炭素原子を含まない基として、以下に限定されないが、例えば水酸基、ハロ基が挙げられる。
【００８２】
上記ビニルエーテル基含有（メタ）アクリレート類としては、以下に限定されないが、例えば、（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸１−メチル−３−ビニロキシプロピル、（メタ）アクリル酸１−ビニロキシメチルプロピル、（メタ）アクリル酸２−メチル−３−ビニロキシプロピル、（メタ）アクリル酸１，１−ジメチル−２−ビニロキシエチル、（メタ）アクリル酸３−ビニロキシブチル、（メタ）アクリル酸１−メチル−２−ビニロキシプロピル、（メタ）アクリル酸２−ビニロキシブチル、（メタ）アクリル酸４−ビニロキシシクロヘキシル、（メタ）アクリル酸６−ビニロキシヘキシル、（メタ）アクリル酸４−ビニロキシメチルシクロヘキシルメチル、（メタ）アクリル酸３−ビニロキシメチルシクロヘキシルメチル、（メタ）アクリル酸２− ビニロキシメチルシクロヘキシルメチル、（メタ）アクリル酸ｐ−ビニロキシメチルフェニルメチル、（メタ）アクリル酸ｍ−ビニロキシメチルフェニルメチル、（メタ）アクリル酸ｏ−ビニロキシメチルフェニルメチル、（メタ）アクリル酸２−（ビニロキシエトキシ）エチル、（メタ）アクリル酸２−（ビニロキシイソプロポキシ）エチル、（メタ）アクリル酸２−（ビニロキシエトキシ）プロピル、（メタ）アクリル酸２−（ビニロキシエトキシ）イソプロピル、（メタ）アクリル酸２−（ビニロキシイソプロポキシ）プロピル、（メタ）アクリル酸２−（ビニロキシイソプロポキシ）イソプロピル、（メタ）アクリル酸２−（ビニロキシエトキシエトキシ）エチル、（メタ）アクリル酸２−（ビニロキシエトキシイソプロポキシ）エチル、（メタ）アクリル酸２−（ビニロキシイソプロポキシエトキシ）エチル、（メタ）アクリル酸２−（ビニロキシイソプロポキシイソプロポキシ）エチル、（メタ）アクリル酸２−（ビニロキシエトキシエトキシ）プロピル、（メタ）アクリル酸２−（ビニロキシエトキシイソプロポキシ）プロピル、（メタ）アクリル酸２−（ビニロキシイソプロポキシエトキシ）プロピル、（メタ）アクリル酸２−（ビニロキシイソプロポキシイソプロポキシ）プロピル、（メタ）アクリル酸２−（ビニロキシエトキシエトキシ）イソプロピル、（メタ）アクリル酸２−（ビニロキシエトキシイソプロポキシ）イソプロピル、（メタ）アクリル酸２−（ビニロキシイソプロポキシエトキシ）イソプロピル、（メタ）アクリル酸２−（ビニロキシイソプロポキシイソプロポキシ）イソプロピル、（メタ）アクリル酸２−（ビニロキシエトキシエトキシエトキシ）エチル、（メタ）アクリル酸２−（ビニロキシエトキシエトキシエトキシエトキシ）エチル、（メタ）アクリル酸２−（イソプロペノキシエトキシ）エチル、（メタ）アクリル酸２−（イソプロペノキシエトキシエトキシ）エチル、（メタ）アクリル酸２−（イソプロペノキシエトキシエトキシエトキシ）エチル、（メタ）アクリル酸２−（イソプロペノキシエトキシエトキシエトキシエトキシ）エチル、（メタ）アクリル酸ポリエチレングリコールモノビニルエ��テル、及び（メタ）アクリル酸ポリプロピレングリコールモノビニルエーテルが挙げられる。
【００８３】
これらの中でも、インクをより低粘度化でき、引火点が高く、かつ、インクの硬化性に
優れるため、（メタ）アクリル酸２−（ビニロキシエトキシ）エチル、即ち、アクリル酸２−（ビニロキシエトキシ）エチル及びメタクリル酸２−（ビニロキシエトキシ）エチルのうち少なくともいずれかが好ましく、アクリル酸２−（ビニロキシエトキシ）エチルがより好ましい。特にアクリル酸２−（ビニロキシエトキシ）エチル及びメタクリル酸２−（ビニロキシエトキシ）エチルは、何れも単純な構造であって分子量が小さいため、インクを顕著に低粘度化することができる。（メタ）アクリル酸２−（ビニロキシエトキシ）エチルとしては、（メタ）アクリル酸２−（２−ビニロキシエトキシ）エチル及び（メタ）アクリル酸２−（１−ビニロキシエトキシ）エチルが挙げられ、アクリル酸２−（ビニロキシエトキシ）エチルとしては、アクリル酸２−（２−ビニロキシエトキシ）エチル及びアクリル酸２−（１−ビニロキシエトキシ）エチルが挙げられる。なお、アクリル酸２−（ビニロキシエトキシ）エチルの方が、メタクリル酸２−（ビニロキシエトキシ）エチルに比べて硬化性の面で優れている。
【００８４】
ビニルエーテル基含有（メタ）アクリル酸エステル類は、１種単独で用いてもよく、２種以上を組み合わせて用いてもよい。
【００８５】
上記ビニルエーテル基含有（メタ）アクリル酸エステル類、特に（メタ）アクリル酸２−（ビニロキシエトキシ）エチルの含有量は、インクの総質量（１００質量％）に対して、２０質量％以上９０質量％以下が好ましく、４０質量％以上８０質量％以下がより好ましく、５０以上７５質量％以下がさらに好ましい。当該含有量が上記の下限値以上であると、インクを低粘度化でき、かつ、インクの硬化性を一層優れたものとすることができる。一方、当該含有量が上記の上限値以下であると、インクの保存安定性を良好な状態に維持することができ、硬化シワの発生を一層効果的に防止することができる。
【００８６】
上記ビニルエーテル基含有（メタ）アクリル酸エステル類の製造方法としては、以下に限定されないが、（メタ）アクリル酸と水酸基含有ビニルエーテルとをエステル化する方法（製法Ｂ）、（メタ）アクリル酸ハロゲン化物と水酸基含有ビニルエーテルとをエステル化する方法（製法Ｃ）、（メタ）アクリル酸無水物と水酸基含有ビニルエーテルとをエステル化する方法（製法Ｄ）、（メタ）アクリル酸エステルと水酸基含有ビニルエーテルとをエステル交換する方法（製法Ｅ）、（メタ）アクリル酸とハロゲン含有ビニルエーテルとをエステル化する方法（製法Ｆ）、（メタ）アクリル酸アルカリ（土類）金属塩とハロゲン含有ビニルエーテルとをエステル化する方法（製法Ｇ）、水酸基含有（メタ）アクリル酸エステルとカルボン酸ビニルとをビニル交換する方法（製法Ｈ）、水酸基含有（メタ）アクリル酸エステルとアルキルビニルエーテルとをエーテル交換する方法（製法Ｉ）が挙げられる。
【００８７】
これらの中でも、本実施形態に所望の効果を一層発揮することができるため、製法Ｅが好ましい。
【００８８】
＜単官能（メタ）アクリレート＞
本実施形態に係るインクは、上記ビニルエーテル基含有（メタ）アクリル酸エステル類に変えてあるいは加えて、その他の単官能（メタ）アクリレートを含むことが好ましい。インクが当該単官能（メタ）アクリレートを含有することにより、インクが低粘度となり、光重合開始剤その他の添加剤の溶解性に優れ、インクジェット記録時の吐出安定性が得られやすく、さらに塗膜の強靭性、耐熱性、及び耐薬品性が増す。
【００８９】
上記単官能（メタ）アクリレートとしては、例えば、フェノキシエチル（メタ）アクリレート、イソアミル（メタ）アクリレート、ステアリル（メタ）アクリレート、ラウリル（メタ）アクリレート、オクチル（メタ）アクリレート、デシル（メタ）アクリレート、イソミリスチル（メタ）アクリレート、イソステアリル（メタ）アクリレート、２−エチ
ルヘキシル−ジグリコール（メタ）アクリレート、２−ヒドロキシブチル（メタ）アクリレート、４−ヒドロキシブチル（メタ）アクリレート、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、ラクトン変性可とう性（メタ）アクリレート、ｔ−ブチルシクロヘキシル（メタ）アクリレート、ジシクロペンタニル（メタ）アクリレート、ジシクロペンテニルオキシエチル（メタ）アクリレート、ベンジル（メタ）アクリレート、エトキシ化ノニルフェニル（メタ）アクリレート、アルコキシ化ノニルフェニル（メタ）アクリレート、ｐ−クミルフェノールＥＯ変性（メタ）アクリレート、が挙げられる。
【００９０】
上記の中でも、硬化性、保存安定性、及び光重合開始剤の溶解性に一層優れるため、分子中に芳香環骨格を有する単官能（メタ）アクリレートが好ましい。芳香環骨格を有する単官能（メタ）アクリレートとしては、以下に限定されないが、例えば、フェノキシエチル（メタ）アクリレート、ベンジル（メタ）アクリレート、２−ヒドロキシフェノキシプロピル（メタ）アクリレート、及びフェノキシジエチレングリコール（メタ）アクリレートが好ましく挙げられる。これらの中でも、インクを低粘度化することができ、かつ、硬化性、耐擦性、密着性、及び光重合開始剤の溶解性のいずれも優れたものとすることができるため、フェノキシエチル（メタ）アクリレート及びベンジル（メタ）アクリレートのうち少なくともいずれかが好ましく、フェノキシエチル（メタ）アクリレートがより好ましい。
【００９１】
上記ビニルエーテル基含有（メタ）アクリル酸エステル類以外の単官能（メタ）アクリレートは、１種単独で用いてもよく、２種以上を組み合わせて用いてもよい。
【００９２】
上記ビニルエーテル基含有（メタ）アクリル酸エステル類以外の単官能（メタ）アクリレートの含有量は、インクの総質量（１００質量％）に対し、１０質量％以上５０質量％以下であることが好ましく、２０質量％４０質量％以下がより好ましい。当該含有量が上記の下限値以上であると、硬化性に加えて光重合開始剤の溶解性も一層優れたものとなる。一方、当該含有量が上記の上限値以下であると、硬化性に加えて密着性も一層優れたものとなる。
【００９３】
また、上記ビニルエーテル基含有（メタ）アクリル酸エステル類、及びあるいは上記ビニルエーテル基含有（メタ）アクリル酸エステル類以外の単官能（メタ）アクリレートの含有量は、硬化性、硬化シワ抑制、光重合開始剤の溶解性などの点で、インクの総重量（１００質量％）に対し４０質量％以上９０質量％以下が好ましく、５５質量％以上８０質量％以下がより好ましく、６０質量％以上８０質量％以下がさらに好ましい。
【００９４】
＜上記以外の重合性化合物＞
本実施形態に係るインクは、上記以外の重合性化合物（以下、「その他の重合性化合物」という。）をさらに含んでもよい。その他の重合性化合物としては、従来公知の、単官能、２官能、及び３官能以上の多官能といった種々のモノマー及びオリゴマーが使用可能である。上記モノマーとしては、例えば、（メタ）アクリル酸、イタコン酸、クロトン酸、イソクロトン酸及びマレイン酸等の不飽和カルボン酸やそれらの塩又はエステル、ウレタン、アミド及びその無水物、アクリロニトリル、スチレン、種々の不飽和ポリエステル、不飽和ポリエーテル、不飽和ポリアミド、並びに不飽和ウレタンが挙げられる。また、上記オリゴマーとしては、例えば、直鎖アクリルオリゴマー等の上記のモノマーから形成されるオリゴマー、エポキシ（メタ）アクリレート、オキセタン（メタ）アクリレート、
脂肪族ウレタン（メタ）アクリレート、芳香族ウレタン（メタ）アクリレート及びポリエステル（メタ）アクリレートが挙げられる。
【００９５】
その他の重合性化合物のうち、２官能以上の（メタ）アクリル酸のエステル、即ち２官能以上の（メタ）アクリレートが好ましく、２官能以上６官能以下の（メタ）アクリレートがより好ましい。
【００９６】
２官能（メタ）アクリレートとしては、例えば、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ジプロピレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール− トリシクロデカンジ（メタ）アクリレート、ビスフェノールＡのＥＯ（エチレンオキサイド）付加物ジ（メタ）アクリレート、ビスフェノールＡのＰＯ（プロピレンオキサイド）付加物ジ（メタ）アクリレート、ヒドロキシピバリン酸ネオペンチルグリコールジ（メタ）アクリレート、及びポリテトラメチレングリコールジ（メタ）アクリレートが挙げられる。
【００９７】
３官能以上の多官能（メタ）アクリレートとしては、例えば、トリメチロールプロパントリ（メタ）アクリレート、ＥＯ変性トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレート、カウプロラクトン変性トリメチロールプロパントリ（メタ）アクリレート、ペンタエリスリトールエトキシテトラ（メタ）アクリレート、及びカプロラクタム変性ジペンタエリスリトールヘキサ（メタ）アクリレートが挙げられる。
【００９８】
その他の重合性化合物は、１種単独で用いてもよく、２種以上を併用してもよい。
【００９９】
その他の重合性化合物がインクに含まれる場合、その含有量は、硬化性、硬化シワ抑制、光重合開始剤の溶解性などの点で、インクの総質量（１００質量％）に対し、５質量％以上４５質量％以下が好ましく、５質量％以上３５質量％以下がより好ましく、５質量％以上３０質量％以下がさらに好ましい。その他の重合性化合物の中でも、３官能以上の多官能（メタ）アクリレートがインクに含まれる場合、その含有量は、インクの総質量（１００質量％）に対し、５質量％以上２０質量％以下が好ましく、５質量％以上１５質量％以下がより好まく、５質量％以上１０質量％以下がさらに好ましい。
【０１００】
なお、本実施形態において、硬化シワは、インクの表面の硬化に比してインク内部の硬化が遅れた場合に、インク内部の硬化に伴いインク表面に変形が生じて発生すると推測し、インクが２官能以上の（メタ）アクリル酸のエステルを含む場合、硬化シワの抑制の点で好ましい。
【０１０１】
なお、重合性化合物として光重合性の化合物を用いることにより、光重合開始剤の添加を省略することも可能であるが、光重合開始剤を用いた方が、重合の開始を容易に調整することができ、好適である。
【０１０２】
１．２．２．光重合開始剤
本実施形態に係るインクは、光重合開始剤をさらに含んでもよい。当該光重合開始剤は
、紫外線の照射による光重合によって、記録媒体の記録面に付着したインクを硬化させて印字を形成するために用いられる。光線の中でも紫外線（ＵＶ）を用いることにより、安全性に優れ、且つ光源ランプのコストを抑えることができる。紫外線のエネルギーによって、ラジカルやカチオンなどの活性種を生成し、上記重合性化合物の重合を開始させるものであれば、使用可能な光重合開始剤に制限はないが、光ラジカル重合開始剤や光カチオン重合開始剤を使用することができ、中でも光ラジカル重合開始剤を使用することが好ましい。
【０１０３】
上記の光ラジカル重合開始剤としては、例えば、芳香族ケトン類、アシルホスフィンオキサイド化合物、芳香族オニウム塩化合物、有機過酸化物、チオ化合物（チオキサントン化合物、チオフェニル基含有化合物など）、ヘキサアリールビイミダゾール化合物、ケトオキシムエステル化合物、ボレート化合物、アジニウム化合物、メタロセン化合物、活性エステル化合物、炭素ハロゲン結合を有する化合物、及びアルキルアミン化合物が挙げられる。これらの中でも、特に紫外線発光ダイオードを用いた際にインクの硬化性を一層良好にすることができるため、アシルホスフィンオキサイド化合物が好ましい。
【０１０４】
光ラジカル重合開始剤の具体例としては、アセトフェノン、アセトフェノンベンジルケタール、１−ヒドロキシシクロヘキシルフェニルケトン、２，２−ジメトキシ−２−フェニルアセトフェノン、キサントン、フルオレノン、ベンズアルデヒド、フルオレン、アントラキノン、トリフェニルアミン、カルバゾール、３−メチルアセトフェノン、４−クロロベンゾフェノン、４，４'−ジメトキシベンゾフェノン、４，４'−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、ビス（２，４，６−トリメチルベンゾイル）−フェニルホスフィンオキサイド、２，４，６−トリメチルベンゾイル−ジフェニル−ホスフィンオキサイド、２，４− ジエチルチオキサントン、及びビス−（２，６−ジメトキシベンゾイル）−２，４，４−トリメチルペンチルホスフィンオキシドが挙げられる。
【０１０５】
光ラジカル重合開始剤の市販品としては、例えば、ＩＲＧＡＣＵＲＥ  ６５１（２，２−ジメトキシ−１，２−ジフェニルエタン−１−オン）、ＩＲＧＡＣＵＲＥ  １８４（１−ヒドロキシ−シクロヘキシル−フェニル−ケトン）、ＤＡＲＯＣＵＲ  １１７３（２−ヒドロキシ−２−メチル−１−フェニル−プロパン−１−オン）、ＩＲＧＡＣＵＲＥ  ２９５９（１−［４−（２−ヒドロキシエトキシ）−フェニル］−２−ヒドロキシ−２−メチル−１−プロパン−１−オン）、ＩＲＧＡＣＵＲＥ  １２７（２−ヒドロキシ−１−｛４−［４−（２−ヒドロキシ−２−メチル−プロピオニル）−ベンジル］フェニル]−２−メチル−プロパン−１−オン｝、ＩＲＧＡＣＵＲＥ  ９０７（２−メチル−１−（４−メチルチオフェニル）−２−モルフォリノプロパン−１−オン）、ＩＲＧＡＣＵＲＥ  ３６９（２−ベンジル−２−ジメチルアミノ−１−（４−モルフォリノフェニル）−ブタノン−１）、ＩＲＧＡＣＵＲＥ  ３７９（２−（ジメチルアミノ）−２−［（４−メチルフェニル）メチル］−１−［４−（４−モルホリニル）フェニル］−１−ブタノン）、ＤＡＲＯＣＵＲ  ＴＰＯ（２，４，６−トリメチルベンゾイル−ジフェニル−ホスフィンオキサイド）、ＩＲＧＡＣＵＲＥ  ８１９（ビス（２，４，６−トリメチルベンゾイル）−フェニルホスフィンオキサイド）、ＩＲＧＡＣＵＲＥ  ７８４（ビス（η５−２，４−シクロペンタジエン−１−イル）−ビス（２，６−ジフルオロ−３−（１Ｈ−ピロール−１−イル）−フェニル）チタニウム）、ＩＲＧＡＣＵＲＥ  ＯＸＥ  ０１（１，２−オクタンジオン，１−［４−（フェニルチオ）−，２−（Ｏ−ベンゾイルオキシム）］）、ＩＲＧＡＣＵＲＥ  ＯＸＥ  ０２（エタノン，１−［９−エチル−６−（２−メチルベンゾイル
）−９Ｈ−カルバゾール−３−イル］−，１−（Ｏ−アセチルオキシム））、ＩＲＧＡＣＵＲＥ  ７５４（オキシフェニル酢酸、２−[２−オキソ−２−フェニルアセトキシエトキシ]エチルエステルとオキシフェニル酢酸、２−（２−ヒドロキシエトキシ）エチルエステルの混合物）（以上、ＢＡＳＦ社製、商品名）、ＫＡＹＡＣＵＲＥ  ＤＥＴＸ−Ｓ（２，４− ジエチルチオキサントン）（日本化薬社製、商品名）、Ｓｐｅｅｄｃｕｒｅ  ＴＰＯ（２，４，６−トリメチルベンゾイル−ジフェニル−ホスフィンオキサイド）、Ｓｐｅｅｄｃｕｒｅ  ＤＥＴＸ（２，４− ジエチルチオキサンテン−９−オン）（以上、Ｌａｍｂｓｏｎ社製、商品名）、Ｌｕｃｉｒｉｎ  ＴＰＯ、ＬＲ８８９３、ＬＲ８９７０（以上、ＢＡＳＦ社製、商品名）、及びユベクリルＰ３６（ＵＣＢ社製、商品名）などが挙げられる。
【０１０６】
光重合開始剤は、１種単独で用いてもよく、２種以上を組み合わせて用いてもよい。
【０１０７】
光重合開始剤の含有量は、紫外線硬化速度を向上させて硬化性を優れたものとすることができ、かつ、光重合開始剤の溶け残りや光重合開始剤に由来する着色を避けるため、インクの総質量（１００質量％）に対して、２０質量％以下であることが好ましい。特に、光重合開始剤がアシルホスフィンオキサイド化合物を含む場合、その含有量は、インクの総質量（１００質量％）に対して、５質量％以上１５質量％以下であることがより好ましく、７質量％以上１３質量％以下であることがさらに好ましい。含有量が上記の下限値以上であると、硬化性に一層優れる。より具体的に言えば、特に紫外線発光ダイオード（好ましい発光ピーク波長：３６０ｎｍ〜４２０ｎｍ）による硬化の際に十分な硬化速度が得られるため硬化性に一層優れる。一方、含有量が上記の上限値以下であると、光重合開始剤の溶解性に一層優れる。
【０１０８】
１．２．３．色材
本実施形態に係るインクは、色材をさらに含んでもよい。色材としては、顔料及び染料のうち少なくとも一方を用いることができる。
【０１０９】
色材として顔料を用いることにより、インクの耐光性を向上させることができる。顔料は、無機顔料及び有機顔料のいずれも使用することができる。
【０１１０】
無機顔料としては、ファーネスブラック、ランプブラック、アセチレンブラック、チャネルブラック等のカーボンブラック（Ｃ．Ｉ．ピグメントブラック７）類、酸化鉄、酸化チタンを使用することができる。
【０１１１】
有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料が挙げられる。
【０１１２】
上記顔料は１種単独で用いてもよく、２種以上を併用してもよい。
【０１１３】
上記の顔料を使用する場合、その平均粒子径は３００ｎｍ以下が好ましく、５０ｎｍ以上２００ｎｍ以下がより好ましい。平均粒子径が上記の範囲内にあると、インクにおける吐出安定性や分散安定性などの信頼性に一層優れるとともに、優れた画質の画像を形成することができる。ここで、本明細書における平均粒子径は、動的光散乱法により測定することができる。
【０１１４】
染料としては、特に限定されることなく、酸性染料、直接染料、反応性染料、及び塩基性染料が使用可能である。染料は１種単独で用いてもよく、２種以上を併用してもよい。
【０１１５】
１．２．４．分散剤
本実施形態に係るインクが顔料を含む場合、顔料分散性をより良好なものとするため、分散剤をさらに含んでもよい。分散剤として、特に限定されないが、例えば、高分子分散剤などの顔料分散液を調製するのに慣用されている分散剤が挙げられる。その具体例として、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミノ系ポリマー、含珪素ポリマー、含硫黄ポリマー、含フッ素ポリマー、及びエポキシ樹脂のうち一種以上を主成分とするものが挙げられる。高分子分散剤の市販品として、味の素ファインテクノ社製のアジスパーシリーズ（商品名）、アビシア社（Avecia
Co．）から入手可能なソルスパーズシリーズ（Ｓｏｌｓｐｅｒｓｅ  ３２０００，３６０００等〔以上、商品名〕）、ＢＹＫＣｈｅｍｉｅ社製のディスパービックシリーズ（商品名）、楠本化成社製のディスパロンシリーズ（商品名）が挙げられる。
【０１１６】
分散剤は、１種単独で用いてもよく、２種以上を組み合わせて用いてもよい。なお、分散剤の含有量は特に制限されず適宜好ましい量を添加すればよい。
【０１１７】
１．２．５．重合禁止剤
本実施形態に係るインクは、重合禁止剤をさらに含んでもよい。インクが重合禁止剤を含有することにより、硬化前における上記重合性化合物の重合反応を防止できる。
【０１１８】
重合禁止剤としては、特に制限されないが、例えばフェノール系重合禁止剤が挙げられる。当該フェノール系重合禁止剤として、以下に限定されないが、例えば、ｐ−メトキシフェノール、クレゾール、ｔ−ブチルカテコール、ジ−ｔ−ブチルパラクレゾール、ヒドロキノンモノメチルエーテル、α−ナフトール、３，５−ジ−ｔ−ブチル−４−ヒドロキシトルエン、２，６−ジ−ｔ−ブチル−４−メチルフェノール、２，２’−メチレン−ビス（４−メチル−６−ｔ−ブチルフェノール）、２，２’−メチレン−ビス（４−エチル−６−ブチルフェノール）、及び４，４’−チオ−ビス（３−メチル−６−ｔ−ブチルフェノール）が挙げられる。
【０１１９】
フェノール系重合禁止剤の市販品としては、例えば、ｐ−メトキシフェノール（東京化成工業社製、商品名、ｐ−メトキシフェノール）、ノンフレックスＭＢＰ（精工化学社製、商品名、２，２’−メチレン−ビス（４−メチル−６−ｔ−ブチルフェノール））、ＢＨＴスワノックス（精工化学社製、商品名、２，６−ジ−ｔ−ブチル−４−メチルフェノール）が挙げられる。
【０１２０】
重合禁止剤は、１種単独で用いてもよく、２種以上を組み合わせて用いてもよい。なお、重合禁止剤の含有量は特に制限されず適宜好ましい量を添加すればよい。
【０１２１】
１．２．６．界面活性剤
本実施形態に係るインクは、界面活性剤をさらに含んでもよい。界面活性剤としては、特に限定されないが、例えば、シリコーン系界面活性剤として、ポリエステル変性シリコーンやポリエーテル変性シリコーンを用いることができ、ポリエーテル変性ポリジメチルシロキサン又はポリエステル変性ポリジメチルシロキサンを用いることが特に好ましい。スリップ剤の市販品としては、ＢＹＫ−３４７、ＢＹＫ−３４８、ＢＹＫ−ＵＶ３５００，３５１０，３５３０，３５７０（以上、ＢＹＫ社製）を挙げることができる。
【０１２２】
界面活性剤は、１種単独で用いてもよく、２種以上を組み合わせて用いてもよい。なお
、界面活性剤の含有量は特に制限されず適宜好ましい量を添加すればよい。
【０１２３】
１．２．７．その他の添加剤
本実施形態のインクは、上記に挙げた添加剤以外の添加剤（成分）を含んでもよい。このような成分としては、特に制限されないが、例えば従来公知の、重合促進剤、浸透促進剤、及び湿潤剤（保湿剤）、並びにその他の添加剤があり得る。上記のその他の添加剤として、例えば従来公知の、定着剤、防黴剤、防腐剤、酸化防止剤、紫外線吸収剤、キレート剤、ｐＨ調整剤、及び増粘剤が挙げられる。
【０１２４】
１．２．８．照射エネルギー
上記のように説明した紫外線硬化型インクを用いる場合には、照射手段の消費電力を低減させるという観点から、１０００ｍＪ／ｃｍ2以下の照射エネルギーで硬化するものを用いることが好ましく、３００ｍＪ／ｃｍ2以下で硬化するものがより好ましく、２００ｍＪ／ｃｍ2以下で硬化するものがさらに好ましく、１００ｍＪ／ｃｍ2以下で硬化するものが特に好ましい。
【０１２５】
１．３．記録媒体
本実施形態に係るインクジェット記録装置は、フラットベッド式のインクジェット記録装置に用いられるいずれの記録媒体（例えば、紙、織物、編み物、不織布、皮革、樹脂フィルム、樹脂板、ガラス、金属等）に用いることができ、これらのいずれの記録媒体を用いても、画像の位置ずれや色味の変化等の少ない、良好な画像の記録された記録物を得ることができる。したがって、記録を失敗した際に損害が大きい高価な記録媒体（金属、アクリル、ガラス等）に対する記録にも好ましく使用できる。
【０１２６】
また、フラットベッド式のインクジェット記録装置に用いられる記録媒体は、単票であり、例えば、支持ユニット１０のパネル上に支持したときの第２方向における記録面の長さが４ｍ以下のものが用いられ、３ｍ以下の物が特に用いられる。また、０．５ｍ以上の物が用いられ、１ｍ以上の物が特に用いられる。
【０１２７】
２．実施例
以下、本発明の実施形態を実施例によってさらに具体的に説明するが、本実施形態はこれらの実施例のみに限定されるものではない。
【０１２８】
２．１．インクの評価
２．１．１．インクの調製
表１に示す各成分を表１の含有量となるように添加して、これを高速水冷式攪拌機で攪拌することにより、紫外線硬化型インク（以下、単に「インク」ともいう。）１〜１０を得た。なお、表１に示す成分は、以下の通りである。
【０１２９】
＜重合性化合物＞
・ＶＥＥＡ（商品名、アクリル酸２−（２−ビニロキシエトキシ）エチル、日本触媒社製、単官能（メタ）アクリレート、以下「ＶＥＥＡ」と記載した。）
・ビスコート＃１９２（商品名、フェノキシエチルアクリレート、大阪有機化学工業社製、単官能（メタ）アクリレート、以下「ＰＥＡ」と記載した。）
・Ｖ＃１６０（商品名、ベンジルアクリレート、大阪有機化学工業社製、単官能（メタ）アクリレート、以下「ＢＺＡ」と記載した。）
・ＩＢＸＡ（商品名、イソボルニルアクリレート、大阪有機化学工業社製、単官能（メタ）アクリレート、以下「ＩＢＸ」と記載した。）
・ＳＲ５０８（商品名、ジプロピレングリコールジアクリレート、２官能（メタ）アクリレート、サートマー社製）
・Ａ−ＤＰＨ（商品名、ジペンタエリスリトールヘキサアクリレート、６官能（メタ）アクリレート、新中村化学社製、以下「Ａ−ＤＰＨ」と記載した。）
＜ポリマー＞
・ビスコート＃１０００（商品名、大阪有機化学工業社製、ハイパーブランチポリマー、粘度２７３ｍＰａ・ｓ、アクリル基数１４、以下「Ｖ＃１０００」と記載した。）
なお、ビスコート＃１０００は、ジペンタエリスリトールをコアとして官能基が分岐したハイパーブランチポリマーであり、希釈モノマーとしてエチレングリコールジアクリレートを含有する。
＜光重合開始剤＞
・ＩＲＧＡＣＵＲＥ  ８１９（商品名、ＢＡＳＦ社製、固形分量１００％、以下「８１９」と記載した。）
・ＤＡＲＯＣＵＲ  ＴＰＯ（商品名、Ｌａｍｂｓｏｎ社製、以下「ＴＰＯ」と記載した。）
・ＩＲＧＡＣＵＲＥ  ３６９（商品名、ＢＡＳＦ社製、以下「３６９」と記載した。）
＜界面活性剤＞
・ＢＹＫ−ＵＶ３５００（商品名、ＢＹＫ社製、ポリエーテル変性ポリジメチルシロキサン、以下「ＢＹＫ３５００」と記載した。）
＜色材＞
・Ｃ．Ｉ．ピグメントブラック７（三菱化学社製、ミツビシカーボンＭＡ１１、以下「ＰＢ−７」と記載した。）
＜分散剤＞
・Ｓｏｌｓｐｅｒｓｅ  ３２０００（商品名、アビシア社製、以下「ＳＯＬ３２０００」と記載した。）
＜重合禁止剤＞
・ｐ−メトキシフェノール（商品名、東京化成工業社製、ｐ−メトキシフェノール、以下「ＭＥＨＱ」と記載した。）
【０１３０】
【表１】
2014188787.tif 000003
【０１３１】
２．１．２．インクの評価試験
＜粘度評価（２０℃でのインクの粘度ランク）＞
ＤＶＭ−Ｅ型回転粘度計（東京計器社製）を用いて、上記で調製した各インクの２０℃での粘度を測定した。ローターは、コーン角度１°３４’、コーン半径２．４ｃｍのＤＶＭ−Ｅ型用コーンを使用した。回転速度は１０ｒｐｍとした。評価基準は以下の通りであり、評価結果を表１に示す。
１：７ｍＰａ・ｓ未満であった。
２：７ｍＰａ・ｓ以上１３ｍＰａ・ｓ以下であった。
３：１３ｍＰａ・ｓを上回った。
【０１３２】
＜保存安定性評価＞
上記で調製した各インクを５０ｃｃ容のガラス瓶に入れ、密栓した後に、これらのガラス瓶を６０℃の恒温槽内に投入し７日間放置した。７日後に取り出し、十分に室温に戻ってから、上記「２０℃でのインクの粘度ランク」と同様にして２０℃で粘度を測定した。そして、初期（調製直後）の粘度に対する、７日間放置後の粘度の、粘度増加率を計算した。評価基準は以下のとおりである。評価結果を表１に示す。
Ａ：＋５％以下であった。
Ｂ：＋５％を上回った。
【０１３３】
＜インクの硬化性評価＞
ルミラー＃１２５−Ｅ２０（商品名、東レ社製、ＰＥＴフィルム）に、テスター産業社製のバーコーターで、上記の各インクを塗布した。塗膜の硬化後の膜厚は１０μｍであった。次に、波長３９５ｎｍにピークを有するＬＥＤ（Ｆｉｒｅｆｌｙ〔商品名〕、Ｐｈｏｓｅｏｎ社製）から、照度１，０００ｍＷ／ｃｍ2の紫外線を、塗布したインクに所定の時間、照射し、硬化したインク塗膜を得た。照射後、荷重１３０ｇの条件下で上記インク塗膜の表面をジョンソン＆ジョンソン製の綿棒で２０往復擦り、擦過痕がつかなくなるまでに要した照射エネルギーを測定した。評価基準は以下のとおりである。評価結果を表１に示す。
Ａ：２００ｍＪ／ｃｍ2以下であった。
Ｂ：２００ｍＪ／ｃｍ2を超えて３００ｍＪ／ｃｍ2以下であった。
Ｃ：３００ｍＪ／ｃｍ2を上回った。
【０１３４】
２．１．３．インクの評価結果
以上のインクの評価結果を表１に併せて示す。
【０１３５】
表１に示すように、一般式（Ｉ）で表されるビニルエーテル基含有（メタ）アクリル酸エステル類と、当該ビニルエーテル基含有（メタ）アクリル酸エステル類以外の単官能（メタ）アクリレートと、を含有し、かつ、２０℃における粘度が７ｍＰａ・ｓ以上であるインク１、２、８および９は、保存安定性及び硬化性のいずれにも優れることがわかった。
【０１３６】
また、表１に示すように、インク２は２０℃における粘度が高いことが示され、インク３および５は２０℃における粘度が低いことが示された。このように、インクの粘度は、各重合性化合物の配合割合によって変化することがわかった。
【０１３７】
また、表１のインク１およびインク９の硬化性の評価結果から、光重合開始剤としてアシルホスフィンオキサイド化合物を用いることで、インクの硬化性が向上することがわかった。
【０１３８】
２．２．インクジェット記録装置の評価
２．２．１．記録装置の準備
記録装置の試験を行うにあたって、以下の記録装置１〜６を準備した。記録装置１〜３は、ＧＳ６０００（商品名、セイコーエプソン株式会社製、ラージフォーマットプリンター）のスタンドや記録媒体の搬送装置を取り外した残りの部分に、車輪及び駆動手段を取り付けたものを移動ユニットとし、これを支持ユニットに移動可能に搭載する改造をしたものである。移動ユニットは駆動手段の駆動により、車輪で支持ユニット上を第２の方向に移動する。なお、移動ユニットは、ヘッド移動方向（第１方向）の一端にメンテナンス手段（ヘッドを密閉するキャップ部材、ヘッドのインクを吸引する吸引ポンプ、ヘッドのノズル面を拭くワイパ）を設け、他端にはフラッシングしたインクを受けるインク受け部材を備え、移動ユニットに搭載したメンテナンス手段の合計の質量は３ｋｇであった（下記の記録装置４、５を除く）。また、印刷データを作成するノートＰＣを移動ユニットの筐体の上に搭載した（図２参照）。
【０１３９】
なお、インクカートリッジとヘッドを接続する供給管（インク供給管）の長さは、記録装置３では６ｍであり、これ以外の記録装置では３ｍであった。
【０１４０】
＜記録装置１＞
記録装置１では、移動ユニットに同色のインクカートリッジを２個搭載した（すなわち、ホットスワップ機能を有する）。
【０１４１】
＜記録装置２＞
記録装置２では、移動ユニットに同色のインクカートリッジを１個搭載した（すなわち、ホットスワップ機能を有さない）。
【０１４２】
＜記録装置３＞
記録装置３では、支持ユニットに同色のインクカートリッジを２個取り付けた（すなわち、ホットスワップ機能を有するが、移動ユニットともにインクカートリッジは移動しない）。
【０１４３】
＜記録装置４＞
記録装置４は、上記のＧＳ６０００において、同色のインクカートリッジを２個搭載したものを使用した（すなわち、ホットスワップ機能を有するが、移動ユニット、支持ユニットを備えていない、通常のラージフォーマットプリンターである）。
【０１４４】
＜記録装置５＞
記録装置１において、メンテナンス手段を移動ユニットから取り外して、支持ユニットにおける第１方向の外側に取り付けた。
【０１４５】
＜記録装置６＞
記録装置１において、印刷（画像）データを作成するノートＰＣを移動ユニットに搭載せず、支持ユニットの横に設けた机の上に載せて、移動ユニットとノートＰＣを接続する配線コード（ＵＳＢケーブル）を記録装置１よりも長くして接続した。
【０１４６】
＜照射手段＞
また、上記の記録装置１〜６には、表２および表３の組み合わせになるように、以下の照射手段１〜３を選択して搭載した。
【０１４７】
照射手段１は、ヘッドの第１方向の両端に仮硬化用の照射手段Ａと、ヘッドの第２方向側に記録媒体の幅方向に渡って照射可能な本硬化用の照射手段Ｂと、を設けた。照射手段
ＡおよびＢはいずれも、照射強度を１０００ｍＷ／ｃｍ2とし、光源を紫外線発光ダイオードとした。
【０１４８】
照射手段２は、照射強度を５００ｍＷ／ｃｍ2とした以外は、照射手段１と同様の構成とした。
【０１４９】
照射手段３は、紫外線発光ダイオードに代えてメタルハライドランプを用いた以外は、照射手段１と同様の構成とした。
【０１５０】
＜インク＞
上記のようにして調製した各インクをインクカートリッジに収容し、表２および表３に示すように各記録装置に搭載した。
【０１５１】
２．３．２．記録装置の評価
＜印刷継続可能性＞
各記録装置に搭載したインクカートリッジからヘッドにインクを供給した。上述の通り、記録装置１、３、４、５および６には同色のインクカートリッジを２本装着し、記録装置２にはインクカートリッジを１本装着した。そして、表２および３に記載の面積のアクリル板である記録媒体を支持ユニットのパネルにセットした。
【０１５２】
その後、記録を開始して、１．１×２．３ｍ2のベタパターン画像を記録した。ただし、記録媒体の面積が２．１×３．５ｍ2の例では、２．０×３．５ｍ2のベタパターン画像を記録した。また、記録装置４を用いた例では、軟性の塩ビ製ロール紙をセットして、１．１×６．９ｍ2の連続パターンを記録した。なお、ベタパターンの印刷後のインク塗膜の膜厚は、１０μｍであった。ベタパターン画像の記録後、同一種の新しい記録媒体をステージにセットし直して、同様の記録を繰り返し５０枚の記録媒体に対して行った。新しい記録媒体をセットする際、カートリッジの一方が空になっていた場合には、空のカートリッジを新しいカートリッジに交換した。このようにして、印刷継続可能性の評価を行った。評価基準は以下の通りであり、評価結果を表２および表３に示す。
【０１５３】
なお、「ベタパターン画像」とは、記録解像度で規定される最小記録単位領域である画素の全ての画素に対してドットを記録し、通常、記録媒体の記録領域がインクで覆われ記録媒体の地が見えていないような画像であるべき画像パターンを意味する。
【０１５４】
Ａ：３０枚目の記録媒体への記録まで最初に装着していたカートリッジを交換することなく記録できる。また、ホットスワップ機能のおかげで１つの記録媒体への記録の最中にインクがなくなってしまうことが無かった。
Ｂ：３０枚目未満の記録媒体への記録までにカートリッジの交換を行ったが、ホットスワップ機能のおかげで１つの記録媒体への記録の最中にインクがなくなってしまうことが無かった。
Ｃ：１つの記録媒体への記録の最中にカートリッジのインクが無くなり、カートリッジ交換のために印刷の中断が必要であった。
【０１５５】
＜洗浄性＞
各記録装置に搭載したインクカートリッジからヘッドにインクを供給して、ヘッドにインクを充填した後、カートリッジを抜き取り、ヘッドからインクを吸引してインク供給管を一旦、空にしたのち、洗浄液（ジエチレングリコールエチルエーテルアセテート）を充填したカートリッジを装着し、ヘッドから洗浄液を吸引して排出した。ヘッドから排出される洗浄液について、排出量５ｃｃ毎にその透過率を測定し、排出洗浄液の透過率が洗浄前のカートリッジ内の洗浄液の透過率の９８％以上になった時点の洗浄液の排出量を確認
した。このようにして、洗浄性の評価を行った。なお、透過率の測定は、排出洗浄液に蒸留水を加えて１０００倍に希釈した後、分光光度計（製品名「Ｕ−３３００」、株式会社日立製作所製）を用いて行った。評価基準は以下の通りであり、評価結果を表２および表３に示す。
○：３００ｃｃ以下
×：３００ｃｃ超
【０１５６】
＜ベタパターン画像埋まり性（埋まり評価）＞
記録媒体、ＰＥＴフィルム（商品名「ルミラー１２５Ｅ２０」、東レ社製）上の各画素に１１ｎｇ／画素のドットを形成し、硬化させることにより、記録解像度が７２０ｄｐｉ×７２０ｄｐｉ、大きさ（サイズ）が２０ｃｍ×２０ｃｍのベタパターン画像を記録した。画素は記録解像度で規定される最小記録単位領域である。記録の際、ヘッドを搭載したキャリッジが第１方向に移動しつつインクをヘッドから吐出する主走査（パス）を１回行う際の記録媒体に付着したインクへの照射の照射エネルギーを５０ｍＪ／ｃｍ2とし、主走査後もキャリッジの第１の方向への移動をさらに行うことで複数回の照射を行い、記録媒体の単位面積当たりの合計の照射エネルギーを１０００ｍＪ／ｃｍ2とした。そして、当該ベタパターン画像の領域中にドットで隠れていない記録面が見えるか否かを、記録媒体から３０ｃｍ離れた位置で目視により評価した。評価基準は以下の通りであり、評価結果を下記の表２および表３に示す。
Ａ：記録面が見えなかった。
Ｂ：記録面が見えた。
【０１５７】
＜硬化シワ＞
上記「ベタパターン画像の埋まり性評価」において得られた各ベタパターン画像を使用した。レーザー顕微鏡  ＶＫ−９７００（ＫＥＹＥＮＣＥ社製）を用いて、各ベタパターン画像の二乗平均平方根高さ（Ｒｑ値）を測定した。さらに、目視で各ベタパターン画像の表面を観察した。評価基準は以下の通りであり、評価結果を表２および表３に示す。
Ａ：Ｒｑが４以下であった。ベタパターン画像の表面に光沢が見られた。
Ｂ：Ｒｑが４を超えて６以下であった。ベタパターン画像の表面に光沢が若干見られた。
Ｃ：Ｒｑが６を上回った。ベタパターン画像の表面に光沢が見られなかった。
【０１５８】
２．３．３．記録装置の評価結果
記録装置の評価試験の結果を表２および表３に示す。
【０１５９】
【表２】
2014188787.tif 000004
【０１６０】
【表３】
2014188787.tif 000005
【０１６１】
表２の評価結果の通り、実施例に係る記録装置は、ホットスワップ機能を有しており印刷（記録）継続性が良好であることが示された。また、ホットスワップ機能を備えていることにより、画像のずれや色味の違い等の少ない画像を得ることができた。さらに、実施例に係る記録装置は、インクカートリッジを移動ユニットに搭載しているため、ヘッドとインクカートリッジを接続するインク供給管の長さを短くすることができた。その結果、洗浄液の使用量を低減することができた。
【０１６２】
より詳しくは、実施例２では、使用したインクカートリッジの容量が少なかったため、インクカートリッジの交換頻度は高くなったが、ホットスワップ機能のおかげで１つの記録媒体への記録の最中にインクがなくなってしまうことは無かった。
【０１６３】
また、実施例３では、使用したインクカートリッジの容量が大きかったため、移動ユニットの重量増によって、その移動に負担が掛かることがわかった。
【０１６４】
実施例４では、使用した記録媒体の記録面の面積が大きかったため、インクカートリッ
ジの交換頻度が高くなることがわかった。
【０１６５】
実施例５では、粘度高いインクをヒーターで加熱して使用したため、移動ユニットの重量増により、その移動に負担が掛かることがわかった。なお、埋まり性の低下は、ヘッドからの吐出後インクの粘度が上がったためだと考えられる。
【０１６６】
実施例６では、照射装置としてメタルハライドランプを用いたため、これの冷却装置による移動ユニットの重量増により、その移動に負担が掛かることがわかった。また、メタルハライドランプにより記録媒体が加熱されたことにより、記録媒体の熱変形が見られた。
【０１６７】
実施例１３および１４では、粘度の低いインクを用いたため、硬化シワの発生が顕著になる傾向にあった。
【０１６８】
実施例１５では、照射強度が低かったため、硬化シワの発生が顕著になる傾向にあった。
【０１６９】
実施例１６では、移動ユニットにメンテナンス手段を備えていなかったため、１枚の記録媒体に対する記録中にフラッシング動作を実行できなかった。また、メンテナンス手段がガントリー筐体内に無く、光が常時当たる環境にあったので、キャップ部材やインク受け部材に付着した排出インクが増粘して、インク汚れを落としにくかった。
【０１７０】
なお、メンテナンス手段が故障した場合にメンテナンス手段を切り替えてヘッドのメンテナンスが行えるよう予備のメンテナンス手段をさらに移動ユニットに搭載した以外は、実施例１と同様の構成とした所、メンテナンス手段の合計の質量が６ｋｇとなったが、移動ユニットの負荷が増大し、移動ユニットが移動しなかった。
【０１７１】
実施例１７では、ノートＰＣが移動ユニットに搭載されていなかったため、移動ユニットとノートＰＣを接続する配線コード（ＵＳＢケーブル）が長くなり、作業がスムーズになる配線位置を確保する必要性が生じた。
【０１７２】
表３に示すように、比較例１および比較例２に係る記録装置は、ホットスワップ機能を有していないため、印刷（記録）継続性に優れていなかった。また、記録された画像の位置ずれや色味の違い等が生じた。
【０１７３】
比較例３に係る記録装置は、ホットスワップ機能を備えるが、移動ユニットにインクカートリッジが搭載されていないため、ヘッドとインクカートリッジを接続するインク供給管の長さが長くなった。その結果、表３に示すように、インク供給路を洗浄するために、多くの洗浄液が必要であった。
【０１７４】
参考例１に係る記録装置では、アクリル板のような硬質な記録媒体に対する印刷ができなかった。
【０１７５】
参考例２および参考例３では、使用した記録装置の性能には問題なかったが、使用したインクに起因して各種評価を実施できなかった。すなわち、参考例２ではインクが硬化せず、参考例３ではインクの粘度が高く吐出できなかった。
【０１７６】
本発明は、前述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実
施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１７７】
１…プリンター、１０…支持ユニット、１２…パネル、１３…吸引孔、１４…支持台、１６…吸引手段、２０…移動ユニット、２２…筐体、３０，３０Ａ，３０Ｂ…収容体、３４Ａ，３４Ｂ…供給管、３５Ａ，３５Ｂ…連通弁、３６…送液ポンプ、４０，４０Ａ…ヘッド、５０…照射手段、６０…キャップ部材、６５…インク受け部材、７０…キャリッジ、７２…ガイドロッド、１００…検出器群、１１０…コントローラー、１２０…入力装置、１１２…インターフェイス部、１１４…ＣＰＵ、１１６…メモリー、１１８…ユニット制御回路、Ｐ…記録媒体
【図１】
2014188787.tif 000006
【図２】
2014188787.tif 000007
【図３】
2014188787.tif 000008